(57)【要約】      （修正有）【課題】非常時に簡単に防災頭巾を取り出すことができ、どのような種類の椅子にも、背部又は座部に、確実に取り付けることができる防災頭巾カバーの提供。【解決手段】袋状に縫製して防災頭巾が収納されるカバー部２を作り、カバー部２の側縁２ａに収納口３を設け、カバー部２の一方の面に袋部５を形成し、カバー部２の側縁２ｂ、２ｃに側縁２ｄに近接して引掛紐９ａ、９ｂを取り付ける。弾性を有する紐状部材からなる弾性紐７を設ける。側縁２ｂ、２ｃの略中心にスナップホック６ａ、６ｂを設け、弾性紐７の両端にスナップホック８ａ、８ｂを設け、引掛紐９ａ、９ｂの先端にスナップホック１０ａ、１０ｂを設け、側縁２ｄに引掛紐９ａ、９ｂに近接してスナップホック１１ａ、１１ｂを設ける。弾性紐７は、カバー部２の略中心に着脱自在とする共に、カバー部２の側縁２ｄの近傍に着脱自在とする。【選択図】図１
0003112924.tif 000002
【実用新案登録請求の範囲】
【請求項１】
袋状に縫製して形成され、防災頭巾が収納されるカバー部と、
前記カバー部の第１の側縁に設けられた収納口と、
前記カバー部の一方の面に形成された袋部と、
前記第１の側縁に直交する第２及び第３の側縁に、前記第１の側縁に対向する第４の側縁に近接して取り付けられた一対の引掛紐と、
弾性を有する紐状部材からなる弾性紐と、
前記第２及び第３の側縁の略中心に設けられた一対の第１の結合手段と、
前記弾性紐の両端に設けられた一対の第２の結合手段と、
前記一対の引掛紐の先端に設けられた一対の第３の結合手段と、
前記カバー部の前記第４の側縁に、前記引掛紐に近接して設けられた一対の第４の結合手段と
を備えるようにしたことを特徴とする防災頭巾カバー。  
【請求項２】
前記弾性紐は、前記第２の結合手段と前記第１の結合手段とを結合させて前記カバー部の略中心に着脱自在とする共に、前記第２の結合手段と前記第４の結合手段とを結合させて前記カバー部の前記第４の側縁の近傍に着脱自在とするようにしたことを特徴とする防災頭巾カバー。
【請求項３】
前記第１乃至第４の結合手段は、スナップホックであることを特徴とする請求項１に記載の防災頭巾カバー。
【考案の詳細な説明】
【技術分野】
【０００１】
本考案は、防災頭巾を収納して、教室の椅子に装着するのに用いられる防災頭巾カバーに関する。
【背景技術】
【０００２】
地震等の災害が発生すると、倒壊した建物の割れたガラスの破片や崩れた外壁で頭部にけがをしたり、火災による火の粉が頭に降りかかったりする危険性がある。このような不意の災害に備えて、防災頭巾を教室の椅子に装備してある学校を良く見かける。
【０００３】
学校に備え付けられる防災頭巾としては、例えば特許文献１に示されるように、折り畳んでカバーに入れ、椅子の背部に取り付けるものが知られている。
【特許文献１】実開昭６０−１７８４５２号公報
【考案の開示】
【考案が解決しようとする課題】
【０００４】
上述のように、学校に備え付けられる防災頭巾は、災害発生時に、防災頭巾をカバーから即座に取り出した、児童や生徒が直ちに防災頭巾を被れるようにする必要がある。
【０００５】
また、学校の椅子には、座部と背部との間に支柱のあるものや、支柱のないもの等、多数の種類がある。防災頭巾をカバーに入れて椅子に取り付ける場合には、どのような椅子であっても、簡単に取り付けられるようにする必要がある。
【０００６】
更に、防災頭巾を座部に取り付けるか、背部に取り付けるかは、学校の指導方針、生徒や児童の好みがある。このため、防災頭巾をカバーに入れて椅子に取り付ける場合には、座部に取り付けることも、背部に取り付けることもできるようにする必要がある。
【０００７】
特許文献１に示されるものでは、椅子の背部に取り付けるのみで、座部に敷いて座布団の代わりにすることはできない。また、様々な種類の椅子に対応させることが困難である。
【０００８】
本考案は、上述の課題を鑑み、非常時に簡単に防災頭巾を取り出すことができると共に、どのような種類の椅子であっても、椅子の背部にも座部にも、簡単に確実に取り付けることができる防災頭巾カバーを提供することを目的とする。
【課題を解決するための手段】
【０００９】
本考案に係る防災頭巾カバーは、袋状に縫製して形成され、防災頭巾が収納されるカバー部と、カバー部の第１の側縁に設けられた収納口と、カバー部の一方の面に形成された袋部と、第１の側縁に直交する第２及び第３の側縁に、第１の側縁に対向する第４の側縁に近接して取り付けられた一対の引掛紐と、弾性を有する紐状部材からなる弾性紐と、第２及び第３の側縁の略中心に設けられた一対の第１の結合手段と、弾性紐の両端に設けられた一対の第２の結合手段と、一対の引掛紐の先端に設けられた一対の第３の結合手段と、カバー部の第４の側縁に、引掛紐に近接して設けられた一対の第４の結合手段とを備えることを特徴とする。
【００１０】
好ましくは、弾性紐は、第２の結合手段と第１の結合手段とを結合させてカバー部の略中心に着脱自在とする共に、第２の結合手段と第４の結合手段とを結合させてカバー部の第４の側縁の近傍に着脱自在とすることを特徴とする。
【００１１】
好ましくは、第１乃至第４の結合手段は、スナップホックであることを特徴とする、
【考案の効果】
【００１２】
本考案によれば、袋状に縫製して形成され、防災頭巾が収納されるカバー部と、カバー部の第１の側縁に設けられた収納口と、カバー部の一方の面に形成された袋部と、第１の側縁に直交する第２及び第３の側縁に、第１の側縁に対向する第４の側縁に近接して取り付けられた一対の引掛紐と、弾性を有する紐状部材からなる弾性紐と、第２及び第３の側縁の略中心に設けられた一対の第１の結合手段と、弾性紐の両端に設けられた一対の第２の結合手段と、一対の引掛紐の先端に設けられた一対の第３の結合手段と、カバー部の第４の側縁に、引掛紐に近接して設けられた一対の第４の結合手段とを備えるようにしている。このため、袋部を椅子の背部に被せて、防災頭巾が収納された防災頭巾カバーを椅子の背部に取り付けることができる。また、椅子の座部の裏面から弾性紐を巡らして、防災頭巾が収納された防災頭巾カバーを椅子の座部に取り付けることができる。また、椅子の背部に取り付けたときには、収納口が上側になり、椅子の座部に取り付けたときには、収納が前側になるため、災害発生時に、防災頭巾カバーから防災頭巾を簡単の取り出すことができる。
【００１３】
また、本考案によれば、弾性紐は、第２の結合手段と第１の結合手段とを結合させてカバー部の略中心に着脱自在とする共に、第２の結合手段と第４の結合手段とを結合させてカバー部の第４の側縁の近傍に着脱自在とするようにしている。このため、弾性紐は、防災頭巾カバーの第３及び第４の側縁の略中心と、第２の側縁の近傍に着脱自在に取り付けることができる。これにより、どのような種類の椅子であっても、椅子の背部にも座部にも、簡単に確実に取り付けることができる。
【００１４】
また、本考案によれば、第１乃至第４の結合手段として、スナップホックを用いることにより、取り付けが簡単に行える。
【考案を実施するための最良の形態】
【００１５】
以下、本考案の実施の形態について図面を参照しながら説明する。図１は、本考案が適用された防災頭巾カバー１を示すものである。図１に示すように、本考案が適用された防災頭巾カバー１は、長方形の袋状の布を縫製してカバー部２を形成している。
【００１６】
カバー部２の側縁２ａには、防災頭巾を収納するための収納口３が設けられる。この収納口３は、面ファスナー（マジックテープ（登録商標））等の結合体４を用いて簡単に開閉できるようになっている。
【００１７】
カバー部２の一方の面には、袋部５が縫い付けられている。この袋部５は、図示の下方が開くようになっており、椅子の背部の形状に合わせた大きさとされている。
【００１８】
カバー部２の両側縁２ｂ及び２ｃの略中心には、第１の結合手段であるスナップホック（メス）６ａ及び６ｂが取り付けられている。また、ゴム紐等の弾性の紐状部材からなる弾性紐７が設けられ、この弾性紐７の両端には、第２の結合手段であるスナップホック（オス）８ａ及び８ｂが取り付けられる。
【００１９】
カバー部２の両側縁２ｂ及び２ｃには、カバー部２の側縁２ａと対向する側縁２ｄに近接して、ゴム紐等からなる一対の引掛紐９ａ及び９ｂが縫い付けられている。この引掛紐９ａ及び９ｂの先端には、第３の結合手段であるスナップホック（オス）１０ａ及び１０ｂが取り付けられている。また、カバー部２の側縁２ｄには、引掛紐９ａ及び９ｂの近傍に、第４の結合手段であるスナップホック（メス）１１ａ及び１１ｂが取り付けられている。
【００２０】
弾性紐７は、図２（Ａ）に示すように、弾性紐７のスナップホック８ａ及び８ｂとカバー部２のスナップホック６ａ及び６ｂとを結合させ、カバー部の側縁２ｂ及び２ｃの略中心に着脱自在に取り付けることができる。また、図２（Ｂ）に示すように、弾性紐７のスナップホック８ａ及び８ｂとカバー部２のスナップホック１１ａ及び１１ｂとを結合させ、カバー部２の側縁２ｄの近傍に、側縁２ｄに沿って着脱自在に取り付けることができる。
【００２１】
引掛紐９ａ及び９ｂは、引掛紐９ａ及び９ｂのスナップホック１０ａ及び１０ｂとカバー部２のスナップホック１１ａ及び１１ｂとを結合させ、引掛紐９ａ及び９ｂを椅子の支柱等に固定するのに用いられる。
【００２２】
図３は、本考案の実施形態の防災頭巾カバー１内に収納される防災頭巾２０の構成を示すものである。図３に示すように、防災頭巾２０は、左右の頭巾片２２ａ及び２２ｂからなる防災頭巾本体２２と、防災頭巾本体２２の側縁の間を連結する三角形状の布部材２３とから構成される。
【００２３】
防災頭巾本体２２内には、クッション材２１が封入される。防災頭巾本体２２及び三角形の布部材２３の外側は、全て、難燃性の布部材を使って縫製されている。また、防災頭巾本体２２及び三角形の布部材２３の内側は、皮膚との違和感がないように、例えば綿生地を用いて縫製されている。また、この防災頭巾２０には、留めフック２４が設けられる。この留めフック２４は、面ファスナー等の結合体２８を使って、簡単に装着できるようになっている。
【００２４】
更に、この防災頭巾２０の内側には、手袋２６を面ファスナー等の結合体を用いて収納することができる。また、防災頭巾２０の内側には、マスクや携帯毛布等の非常用品を収納するためのポケット２７が設けられる。
【００２５】
この防災頭巾２０は、平時には、四角形状に折り畳まれ、本考案が適用された防災頭巾カバー１内に収納される。
【００２６】
つまり、図４（Ａ）に示すように、防災頭巾本体２２を中心部２５から折り曲げ、防災頭巾本体２２の頭巾片２２ａと頭巾片２２ｂとを対向させて重ねる。そして、図４（Ｂ）に示すように、三角形状の布部材２３を、頭巾片２２ａと頭巾片２２ｂとが対向する間に折り込み、図４（Ｃ）に示すように、防災頭巾本体２２のクッション材２１がない部分２９や留めフック２４を折り畳む。これにより、防災頭巾２０を四角形状に折り畳むことができる。
【００２７】
上述のように座布団状に折り畳んだ防災頭巾２０は、図５に示すように、防災頭巾カバー１内に収納される。すなわち、防災頭巾カバー１の収納口３が開かれ、この収納口３から防災頭巾カバー１内に、折り畳まれた防災頭巾２０が収納される。防災頭巾２０が防災頭巾カバー１内に収納されたら、面ファスナー等の結合体４を用いて、収納口３が閉じられる。そして、このように防災頭巾２０が収納された防災頭巾カバー１は、椅子の背部、或いは、座部に取り付けられる。
【００２８】
図６及び図７は、防災頭巾２０が収納された防災頭巾カバー１を、椅子の背部３１に取り付ける場合を示している。この場合には、図６に示すように、防災頭巾カバー１の収納口３が上になるように、防災頭巾２０が収納された防災頭巾カバー１を垂直に保持し、図７に示すように、袋部５を椅子３０の背部３１に被せ、防災頭巾２０が収納された防災頭巾カバー１を、椅子３０の背部３１に取り付ける。このとき、弾性紐７をカバー部２の略中心に取り付けておくと、弾性紐７の張力により、袋部５が背部３１にピタリと嵌る。そして、引掛紐９ａ及び９ｂを椅子３０の支柱３３ａ及び３３ｂに引っ掛け、防災頭巾２０が収納された防災頭巾カバー１を椅子３０の背部３１に固定する。
【００２９】
図８及び図９は、防災頭巾２０が収納された防災頭巾カバー１を、椅子の座部３２に座布団の代わりに取り付ける場合を示している。この場合には、図８に示すように、防災頭巾カバー１の収納口３が前になるように、防災頭巾２０が収納された防災頭巾カバー１を水平に保持し、防災頭巾２０が収納された防災頭巾カバー１を、椅子３０の座部３２上に置く。そして、図９に示すように、弾性紐７を椅子３０の座部３２の裏側から巡らし、弾性紐７のスナップホック８ａ及び８ｂとカバー部２のスナップホック６ａ及び６ｂとを結合させ（図２（Ａ）参照）、弾性紐７をカバー部２に固定し、弾性紐７により、防災頭巾２０が収納された防災頭巾カバー１を椅子の座部３２に取り付ける。更に、引掛紐９ａ及び９ｂを椅子３０の支柱３３ａ及び３３ｂに引っ掛け、防災頭巾２０が収納された防災頭巾カバー１を椅子３０の座部３２に固定する。
【００３０】
図１０は、背部３１と座部３２との間の支柱がないタイプの椅子３０aの座部３２に、防災頭巾２０が収納された防災頭巾カバー１を取り付ける場合を示している。すなわち、図８及び図９の例では、背部３１と座部３２との間の支柱３３ａ及び３３ｂがあるタイプの椅子が用いられている。これに対して、図１０に示す椅子３０ａでは、背部３１と座部３２との間に支柱がない。背部３１と座部３２との間に支柱がない椅子３０ａの場合には、引掛紐９ａ及び９ｂを椅子３０の支柱３３ａ及び３３ｂに引っ掛けて、防災頭巾２０が収納された防災頭巾カバー１を椅子３０の座部３２に固定することができない。
【００３１】
このように、背部３１と座部３２との間に支柱のない椅子３０ａの場合には、弾性紐７のスナップホック８ａ及び８ｂと、カバー部２の側縁のスナップホック１１ａ及び１１ｂとを結合させ、カバー部２の側縁２ｄの近傍に、側縁２ｄに沿って、弾性紐７を取り付ける（図２（Ｂ)参照）。そして、図１０に示すように、背部３１に弾性紐７を巡らせる。これにより、支柱のない椅子３０ａの場合でも、防災頭巾２０が収納された防災頭巾カバー１を、椅子３０ａの座部３２に確実に固定することができる。
【００３２】
以上説明したように、本考案の実施形態では、椅子３０の背部３１にも、座部３２にも、防災頭巾２０が収納された防災頭巾カバー１を取り付けることができる。また、椅子の背部３１に取り付けたときには、図６及び図７に示したように、収納口３が上側になり、椅子の座部３２に取り付けたときには、図８及び図９に示したように、収納口３が前側になる。このため、災害発生時に、防災頭巾カバー１から防災頭巾２０を簡単に取り出すことができる。
【００３３】
また、本考案の実施形態では、図２（Ａ）及び図２（Ｂ）に示したように、弾性紐７は防災頭巾カバー１のカバー部２の側縁２ｂ及び２ｃの略中心に着脱自在とされると共に、カバー部２の側縁２ｄの近傍に着脱自在とされる。この弾性紐７は、図６及び図７に示したように、背部３１内に袋部５を被せ、防災頭巾カバー１を背部３１に取り付ける場合には、カバー部２の略中心に取り付けられ、弾性紐７の張力により、袋部５を背部３１にピタリと嵌める働きをする。また、防災頭巾カバー１を座部３２に取り付ける場合には、図８及び図９に示したように、椅子３０の座部３２の裏側から防災頭巾２０が収納された防災頭巾カバー１から巡らし、防災頭巾カバー１を椅子３０の座部３２に固定する働きをする。更に、背部３１と座部３２との間に支柱のない椅子３０ａの場合には、図１０に示したように、防災頭巾カバー１の側縁２ｄの近傍に取り付けられ、背部３１に弾性紐７を巡らせ、座部３２に防災頭巾カバー１を取り付ける働きをする。
【００３４】
本考案は、上述した実施形態に限定されるものではなく、本考案の要旨を逸脱しない範囲内で様々な変形や応用が可能である。例えば、上述の例では、収納口３を開閉させるのに、面ファスナー等の結合体４を用いたが、ファスナー（ジッパー（登録商標））やスナップホックを用いるようにしても良い。
【産業上の利用可能性】
【００３５】
本考案は、防災頭巾を折り畳んで収納し、学校等の椅子に取り付ける防災頭巾カバーとして用いることができる。
【図面の簡単な説明】
【００３６】
【図１】本考案の一実施形態の防災頭巾カバーの斜視図である。
【図２】本考案の一実施形態の防災頭巾カバーにおける弾性紐の取り付けの説明図である。
【図３】本考案が適用できる防災頭巾の一例の斜視図である。
【図４】本考案が適用できる防災頭巾の折り畳みの説明に用いる斜視図である。
【図５】本考案の一実施形態の防災頭巾カバーにおける防災頭巾の収納の説明に用いる斜視図である。
【図６】本考案の一実施形態の防災頭巾カバーの椅子の背部への取り付けの説明に用いる斜視図である。
【図７】本考案の一実施形態の防災頭巾カバーの椅子の背部への取り付けの説明に用いる斜視図である。
【図８】本考案の一実施形態の防災頭巾カバーの椅子の座部への取り付けの説明に用いる斜視図である。
【図９】本考案の一実施形態の防災頭巾カバーの椅子の座部への取り付けの説明に用いる斜視図である。
【図１０】本考案の一実施形態の防災頭巾カバーの支柱のない椅子の座部への取り付けの説明に用いる斜視図である。
【符号の説明】
【００３７】
１  防災頭巾カバー
２  カバー部
３  収納口
４  結合体
５  袋部
６ａ，６ｂ  スナップホック
７  弾性紐
８ａ，８ｂ  スナップホック
９ａ，９ｂ  引掛紐
１０ａ，１０ｂ  スナップホック
１１ａ，１１ｂ  スナップホック
２０  防災頭巾
２１  クッション材
２２  防災頭巾本体
２２ａ，２２ｂ  頭巾片
２３  三角形の布部材
２４  留めフック
２５  中心部
２６  手袋
２７  ポケット
２８  結合体
３０，３０ａ  椅子
３１  背部
３２  座部
３３ａ，３３ 支柱
【図１】
0003112924.tif 000003
【図２】
0003112924.tif 000004
【図３】
0003112924.tif 000005
【図４】
0003112924.tif 000006
【図５】
0003112924.tif 000007
【図６】
0003112924.tif 000008
【図７】
0003112924.tif 000009
【図８】
0003112924.tif 000010
【図９】
0003112924.tif 000011
【図１０】
0003112924.tif 000012
【手続補正書】
【提出日】平成17年4月13日(2005.4.13)
【手続補正１】
【補正対象書類名】実用新案登録請求の範囲
【補正対象項目名】請求項２
【補正方法】変更
【補正の内容】
【請求項２】
前記弾性紐は、前記第２の結合手段と前記第１の結合手段とを結合させて前記カバー部の略中心に着脱自在とすると共に、前記第２の結合手段と前記第４の結合手段とを結合させて前記カバー部の前記第４の側縁の近傍に着脱自在とするようにしたことを特徴とする請求項１に記載の防災頭巾カバー。